(57)【特許請求の範囲】
【請求項１】
左右一対の側板と、
この側板に対して開閉可能に設けるとともに、帯状のラベルをロール状に保持可能な用紙ホルダーと、
この用紙ホルダーから帯状に繰り出された前記ラベルをその上面に移送するプラテンユニットと、を有し、
このプラテンユニットを通って前記側板の外部に移送されてきた前記ラベルを貼り付けるための携帯式ラベル貼付け機のプラテンユニット開閉装置であって、
前記用紙ホルダーを前記側板に対して回動開放して前記ラベルをロール状に装填可能とし、
前記用紙ホルダーの開閉にともなって前記用紙ホルダーに係脱する連動アームを設けるとともに、
この連動アームを前記プラテンユニットに係脱可能とし、
この連動アームを介して、前記用紙ホルダーの開放操作に連動して前記プラテンユニットを前記側板に対して開放可能としたことを特徴とする携帯式ラベル貼付け機のプラテンユニット開閉装置。
【請求項２】
前記側板に設けた連動アーム軸のまわりに前記連動アームを回動可能とするとともに、
前記連動アームが前記プラテンユニットに係合する方向に前記連動アームを付勢する第１の付勢部材を設けることを特徴とする請求項１記載の携帯式ラベル貼付け機のプラテンユニット開閉装置。
【請求項３】
前記用紙ホルダーは、前記連動アームの上方係脱片に係脱する初動係脱片を有するとともに、
前記プラテンユニットは、前記連動アームの下方係脱凹部に係脱する係脱ローラーを有することを特徴とする請求項１または２記載の携帯式ラベル貼付け機のプラテンユニット開閉装置。
【請求項４】
前記用紙ホルダーの開放操作時に前記用紙ホルダーの前記初動係脱片が前記連動アームの前記上方係脱片に作用する作用力は、
前記連動アームの前記下方係脱凹部と前記プラテンユニットの前記係脱ローラーとの係合力よりこれを大きく設定してあることを特徴とする請求項３記載の携帯式ラベル貼付け機のプラテンユニット開閉装置。
【請求項５】
前記用紙ホルダーの閉鎖操作時に前記用紙ホルダーの前記初動係脱片が前記連動アームの前記上方係脱片に作用する作用力は、
前記連動アームの前記下方係脱凹部と前記プラテンユニットの前記係脱ローラーとの係合力よりこれを小さく設定してあることを特徴とする請求項３または４記載の携帯式ラベル貼付け機のプラテンユニット開閉装置。
【請求項６】
前記用紙ホルダーの開放操作時に前記プラテンユニットが前記連動アームから離脱したときに、前記プラテンユニットを前記側板に対して開放方向に付勢する第２の付勢部材を設けることを特徴とする請求項１ないし５のいずれかに記載の携帯式ラベル貼付け機のプラテンユニット開閉装置。
【請求項７】
前記プラテンユニットは、前記ラベルの移送ローラーを組み込んであることを特徴とする請求項１ないし６のいずれかに記載の携帯式ラベル貼付け機のプラテンユニット開閉装置。
【請求項８】
左右一対の側板と、
この側板に対して開閉可能に設けるとともに、帯状のラベルをロール状に保持可能な用紙ホルダーと、
この用紙ホルダーから帯状に繰り出された前記ラベルをその上面に移送するプラテンユニットと、を有し、
このプラテンユニットを通って前記側板の外部に移送されてきた前記ラベルを貼り付けるための携帯式ラベル貼付け機のプラテンユニット開閉方法であって、
前記用紙ホルダーを前記側板に対して回動開放して前記ラベルをロール状に装填可能とし、
前記用紙ホルダーに係脱する連動アームを設けるとともに、
この連動アームを前記プラテンユニットに係脱可能とし、
この連動アームを介して、前記用紙ホルダーの開放操作に連動して前記プラテンユニットを前記側板に対して開放させることを特徴とする携帯式ラベル貼付け機のプラテンユニット開閉方法。
【発明の詳細な説明】
【技術分野】
【０００１】
本発明は携帯式ラベル貼付け機のプラテンユニット開閉装置およびプラテンユニット開閉方法にかかるもので、とくに帯状のラベルを装填して移送し、所望の被貼付け体に貼付け操作を行うための携帯式ラベル貼付け機のプラテンユニット開閉装置およびプラテンユニット開閉方法に関するものである。
【背景技術】
【０００２】
従来から、携帯式ラベル貼付け機を用いて、各種商品その他の被貼付け体にラベルを貼り付け、商品の価格やその他必要な情報を表示することが行われている。
この携帯式ラベル貼付け機の使用にあたっては、ラベルをロール状に巻いた状態で、携帯式ラベル貼付け機における用紙ホルダーなどの保持部に装填保持するとともに、この用紙ホルダーからラベルを帯状に繰り出して、携帯式ラベル貼付け機内に挿通する必要がある。
具体的には、用紙ホルダーを携帯式ラベル貼付け機の本体に対して開放するとともに、印字部においてラベルに印字（スタンプ）するためにその上面にラベルを移送位置させるプラテンユニットもこれを携帯式ラベル貼付け機の本体に対して開放させ、移送ローラー部分にラベルを挿通ないし係合させる必要がある。
【０００３】
しかしながら、従来の携帯式ラベル貼付け機では、用紙ホルダーおよびプラテンユニットというふたつの部品ないし機構を別々の動作でそれぞれ開放操作する必要があり、ラベルの装填ないし挿通操作に手間がかかるという問題がある。
また、内部のメンテナンス作業時においても、開放操作が二度手間となり、用紙ホルダーおよびプラテンユニットの開放状態を実現することが面倒であるという問題がある。
【０００４】
携帯式ラベル貼付け機に装填するラベルとしては、帯状のラベル基材と、このラベル基材の裏面に設けた粘着剤層と、さらにこの粘着剤層の裏面側に仮着する台紙（剥離紙）と、を有する一般的な層構造のラベルに加えて、帯状のラベル基材と、このラベル基材の裏面に設けた粘着剤層と、ラベル基材の表面に設けた剥離剤層と、を有する一方、台紙を持たない台紙なしラベルなどもあり、いずれのラベルの場合にも上述した問題がある。
なお台紙なしラベルは、台紙を持たないことから省資源にも寄与することができる。
【０００５】
なおまた、あらかじめ販売促進情報や広告情報などを印刷したラベルを貼り付ける際には、印字部を設けず、操作レバーの操作のみで、ラベルを貼り付けることができるが、このように構成した携帯式ラベル貼付け機のプラテンユニットの場合であっても、開放操作に手間がかかるという点については同様の問題がある。
【先行技術文献】
【特許文献】
【０００６】
【特許文献１】特開平８−１３３２５９号公報
【発明の概要】
【発明が解決しようとする課題】
【０００７】
本発明は以上のような諸問題にかんがみなされたもので、携帯式ラベル貼付け機の本体に対して用紙ホルダーおよびプラテンユニットの二カ所を別々の動作で開放操作することなく、用紙ホルダーの開放操作に連動してプラテンユニットを開放することができる携帯式ラベル貼付け機のプラテンユニット開閉装置およびプラテンユニット開閉方法を提供することを課題とする。
【０００８】
また本発明は、用紙ホルダーの一回の開放動作に連動してプラテンユニットを開放させることができるようにした携帯式ラベル貼付け機のプラテンユニット開閉装置およびプラテンユニット開閉方法を提供することを課題とする。
【０００９】
また本発明は、ラベル交換時などにおけるメンテナンス性を向上可能な携帯式ラベル貼付け機のプラテンユニット開閉装置およびプラテンユニット開閉方法を提供することを課題とする。
【課題を解決するための手段】
【００１０】
すなわち本発明は、連動アームを介して用紙ホルダーの開放操作に連動するようにプラテンユニットを開放することに着目したもので、第一の発明は、左右一対の側板と、この側板に対して開閉可能に設けるとともに、帯状のラベルをロール状に保持可能な用紙ホルダーと、この用紙ホルダーから帯状に繰り出された上記ラベルをその上面に移送するプラテンユニットと、を有し、このプラテンユニットを通って上記側板の外部に移送されてきた上記ラベルを貼り付けるための携帯式ラベル貼付け機のプラテンユニット開閉装置であって、上記用紙ホルダーを上記側板に対して回動開放して上記ラベルをロール状に装填可能とし、上記用紙ホルダーの開閉にともなって上記用紙ホルダーに係脱する連動アームを設けるとともに、この連動アームを上記プラテンユニットに係脱可能とし、この連動アームを介して、上記用紙ホルダーの開放操作に連動して上記プラテンユニットを上記側板に対して開放可能としたことを特徴とする携帯式ラベル貼付け機のプラテンユニット開閉装置である。
【００１１】
第二の発明は、左右一対の側板と、この側板に対して開閉可能に設けるとともに、帯状のラベルをロール状に保持可能な用紙ホルダーと、この用紙ホルダーから帯状に繰り出された上記ラベルをその上面に移送するプラテンユニットと、を有し、このプラテンユニットを通って上記側板の外部に移送されてきた上記ラベルを貼り付けるための携帯式ラベル貼付け機のプラテンユニット開閉方法であって、上記用紙ホルダーを上記側板に対して回動開放して上記ラベルをロール状に装填可能とし、上記用紙ホルダーに係脱する連動アームを設けるとともに、この連動アームを上記プラテンユニットに係脱可能とし、この連動アームを介して、上記用紙ホルダーの開放操作に連動して上記プラテンユニットを上記側板に対して開放させることを特徴とする携帯式ラベル貼付け機のプラテンユニット開閉方法である。
【００１２】
上記側板に設けた連動アーム軸のまわりに上記連動アームを回動可能とするとともに、上記連動アームが上記プラテンユニットに係合する方向に上記連動アームを付勢する第１の付勢部材を設けることができる。
【００１３】
上記用紙ホルダーは、上記連動アームの上方係脱片に係脱する初動係脱片を有するとともに、上記プラテンユニットは、上記連動アームの下方係脱凹部に係脱する係脱ローラーを有することができる。
【００１４】
上記用紙ホルダーの開放操作時に上記用紙ホルダーの上記初動係脱片が上記連動アームの上記上方係脱片に作用する作用力は、上記連動アームの上記下方係脱凹部と上記プラテンユニットの上記係脱ローラーとの係合力よりこれを大きく設定してあることができる。
【００１５】
上記用紙ホルダーの閉鎖操作時に上記用紙ホルダーの上記初動係脱片が上記連動アームの上記上方係脱片に作用する作用力は、上記連動アームの上記下方係脱凹部と上記プラテンユニットの上記係脱ローラーとの係合力よりこれを小さく設定してあることができる。
【００１６】
上記用紙ホルダーの開放操作時に上記プラテンユニットが上記連動アームから離脱したときに、上記プラテンユニットを上記側板に対して開放方向に付勢する第２の付勢部材を設けることができる。
【００１７】
上記プラテンユニットは、上記ラベルの移送ローラーを組み込んであることができる。
【００１８】
上記ラベルとしては、一般的な台紙付きのラベル、および台紙なしラベルのいずれも、これを採用することができる。
【発明の効果】
【００１９】
本発明による携帯式ラベル貼付け機のプラテンユニット開閉装置およびプラテンユニット開閉方法においては、用紙ホルダーの開放操作に連動してプラテンユニットが開放するようにしたので、用紙ホルダーの開放操作のみで、プラテンユニットもこれを開放することができ、単純な一操作による開放状態を実現して、ラベルの装填挿通作業を容易に行うことができる。
【００２０】
とくに第一の発明の携帯式ラベル貼付け機のプラテンユニット開閉装置によれば、用紙ホルダーとプラテンユニットとの間に、互いを連動させる連動アームを設けたので、用紙ホルダーの開放操作にともなって、この連動アームを介してプラテンユニットを同時に開放することができる。
【００２１】
とくに第二の発明の携帯式ラベル貼付け機のプラテンユニット開閉方法によれば、連動アームを介して用紙ホルダーとプラテンユニットとを連動させ、用紙ホルダーの開放操作とプラテンユニットの開放動作を連動させるようにしたので、ラベルの装填挿通作業を容易に行うことができる。
【図面の簡単な説明】
【００２２】
【図１】本発明の実施例によるプラテンユニット開閉装置９を備えた携帯式ラベル貼付け機１の一方の側板２を取り除いた状態の概略側面図である。
【図２】同、プラテンユニット６の分解斜視図である。
【図３】同、操作レバー５および移送ローラー１９の部分の要部斜視図である。
【図４】同、移送ローラー１９と押付けエレメント２０とが互いに押し付けられた状態におけるプラテンユニット６の閉鎖状態の要部側面図である。
【図５】同、移送ローラー１９が押付けエレメント２０から離間して互いの間に間隙４０が形成されるプラテンユニット６の開放状態の要部側面図である。
【図６】同、用紙ホルダー４のホルダーカバー１４を持ってホルダー軸１３のまわりに用紙ホルダー４を上方に引き上げるように開放し始める状態の要部側面図である。
【図７】同、連動アーム４９の下方係脱凹部４９Ｂとプラテンユニット６の係脱ローラー２６との係合ないしロックが外れた状態を示す要部側面図である。
【図８】同、用紙ホルダー４およびプラテンユニット６の開放状態の要部側面図である。
【図９】同、側板２にプラテンユニット６を閉鎖セットした状態を示す要部側面図である。
【図１０】同、用紙ホルダー４のホルダーカバー１４を持ってホルダー軸１３のまわりに用紙ホルダー４を側板２側に閉鎖するように回動し、初動係脱片１７が上方係脱片４９Ａに係合し始める状態の要部側面図である。
【発明を実施するための形態】
【００２３】
本発明は、用紙ホルダーの開放操作に連動してプラテンユニットが開放するようにしたので、用紙ホルダーの単純な一回の開放操作のみで、プラテンユニットもこれを開放することができる携帯式ラベル貼付け機のプラテンユニット開閉装置およびプラテンユニット開閉方法を実現した。
【実施例】
【００２４】
つぎに本発明の実施例による携帯式ラベル貼付け機のプラテンユニット開閉装置およびプラテンユニット開閉方法を図１ないし図１０にもとづき説明する。なお、ラベルとしては台紙なしラベルを装填する場合を例に取っている。
図１は、携帯式ラベル貼付け機１の一方の側板２を取り除いた状態の概略側面図であって、携帯式ラベル貼付け機１は、左右（紙面表裏）一対の側板２と、台紙なしラベル３の用紙ホルダー４と、操作レバー５と、プラテンユニット６と、印字器７と、貼付けローラー８と、プラテンユニット開閉装置９と、を有する。
【００２５】
左右一対の側板２は、操作者が握持可能なグリップ１０を一体に形成するとともに、このグリップ１０に対してレバー軸１１のまわりに操作レバー５を回動操作可能としている。
なお、操作レバー５とグリップ１０との間には、任意の付勢部材、たとえばコイルスプリング１２を設けて、操作レバー５をグリップ１０に対して、図１に示すような常時（操作レバー５の解放時）離反状態に付勢可能としている。
操作者は、コイルスプリング１２の付勢力に抗してグリップ１０および操作レバー５を握持して携帯式ラベル貼付け機１内のプラテンユニット６および印字器７を駆動するとともに、この握持操作を解放後、携帯式ラベル貼付け機１の貼付けローラー８による台紙なしラベル３の貼付け操作を行うことになる。
【００２６】
台紙なしラベル３は、これをロール状に巻いて用紙ホルダー４に保持するとともに、操作レバー５の操作にともなって、プラテンユニット６により印字器７方向に台紙なしラベル３を帯状に繰り出し、プラテンユニット６の先端部でプラテンユニット６から台紙なしラベル３を分離し、貼付けローラー８により台紙なしラベル３を被貼付け体（図示せず）に貼り付け可能とする。ただし、台紙なしラベル３には所定ピッチで移送用スリット３Ａなどを形成し、プラテンユニット６上を移送する際に、任意の切断分離ユニット（図示せず）により、帯状の台紙なしラベル３から単葉のラベル片３Ｂとすることができる。
【００２７】
用紙ホルダー４は、側板２の上面に設けたホルダー軸１３のまわりに側板２に対して開閉回動可能とした断面半円弧状のホルダーカバー１４と、このホルダーカバー１４の内部に設けたラベル保持軸１５と、側板２への固定用フック１６と、ホルダーカバー１４の先端部における左右一対の初動係脱片１７と、を有し、ラベル保持軸１５にロール状の台紙なしラベル３を装填保持可能としてある。
【００２８】
図２は、プラテンユニット６の分解斜視図であり、プラテンユニット６は、用紙ホルダー４から帯状に繰り出された台紙なしラベル３をその上面に移送するもので、プラテンフレーム１８と、移送ローラー１９と、押付けエレメント２０と、を有し、移送ローラー１９と押付けエレメント２０との間は互いに接離可能となっている。
【００２９】
プラテンフレーム１８は、プラテン開閉軸２１のまわりにこれを回動可能とし、側板２に対してプラテンユニット６全体を開閉し、台紙なしラベル３の挿通装填を可能とする。
プラテンフレーム１８は、駆動ギア２２および従動ギア２３と、これら駆動ギア２２および従動ギア２３のまわりに掛け回した移送用無端ベルト２４と、を備えており、駆動ギア２２が移送ローラー１９のローラーギア２５に係合する。
移送用無端ベルト２４の表面は、台紙なしラベル３の裏面（糊面）が接触移送されるため、非粘着性の物性を有するシリコーンあるいはフッ素系のゴム材からこれを構成するか、剥離剤などを塗布しておく。また、この移送用無端ベルト２４は、印字器７による台紙なしラベル３への押印動作の受け台ともなるもので、その内方において印字器７に対向する受圧用プレート（図示せず）を配置してある。
なお、プラテンフレーム１８の先端側の左右には、一対の係脱ローラー２６を突出形成し、プラテンユニット開閉装置９における連動アーム４９の下方係脱凹部４９Ｂ（図１参照、図６以降において後述）に係脱可能としてある。
【００３０】
図３は、操作レバー５および移送ローラー１９の部分の要部斜視図であって、移送ローラー１９は、プラテンフレーム１８に設けたローラー軸２７のまわりに移送方向に所定ピッチでこれを回転可能としてある。
操作レバー５のレバー軸１１の下方部に延びる連結アーム２８の連結軸２９に、移送回動用爪３０を往復動可能に取り付けてあり、この移送回動用爪３０が移送ローラー１９におけるローラーギア２５の側面に放射状に設けた複数個の移送用突起３１それぞれに係脱可能である。
【００３１】
かくして、操作レバー５をグリップ１０とともに握持および解放することにより、連結アーム２８、移送回動用爪３０およびローラーギア２５などを介してローラー軸２７のまわりに移送ローラー１９を所定ピッチだけ回転して台紙なしラベル３を移送可能とするとともに、移送ローラー１９のローラーギア２５と駆動ギア２２との連結係合により移送用無端ベルト２４を回転させて台紙なしラベル３をその上面に移送可能である。
【００３２】
さらに移送ローラー１９は、その中央円周溝３２の左右に所定ピッチで左右一対の移送用爪３３を突出形成し、移送用爪３３の外周側に左右一対の外周円周溝３４を形成してあり、この移送用爪３３を台紙なしラベル３の移送用スリット３Ａに係脱可能としている。
なお、操作レバー５には、その先端側に二股状のヨーク部５Ａを有し、このヨーク部５Ａに印字器７（図１）を取り付けている。
【００３３】
図２に戻って、押付けエレメント２０は、エレメントフレーム３５と、上下左右二対のバックアップローラー３６と、バックアップローラー３６の間で中央に位置するバックアップリング３７と、ねじりコイルバネ３８および左右一対の板バネ３９（第２の付勢部材）と、を有する。
ねじりコイルバネ３８および左右一対の板バネ３９は、後記コイルスプリング５１（第１の付勢部材、図１参照、図６以降において後述）に対して第２の付勢部材として機能するもので、押付けエレメント２０から移送ローラー１９を離反させ、その間に台紙なしラベル３を挿通可能とする間隙４０（図５、図８）を形成可能とする。
エレメントフレーム３５は、移送ローラー１９の円周部に対向する左右一対の支持フレーム４１と、支持フレーム４１から外方にまたがるように出た左右一対の拡幅フレーム４２と、支持フレーム４１に設けるとともにバックアップローラー３６およびバックアップリング３７を取り付ける上下一対の回転軸４３と、を有する。
【００３４】
図４は、移送ローラー１９と押付けエレメント２０とが互いに押し付けられた状態におけるプラテンユニット６の閉鎖状態の要部側面図である。
バックアップローラー３６およびバックアップリング３７は、台紙なしラベル３の裏面（糊面）が接触移送されるため、非粘着性の物性を有するシリコーンあるいはフッ素系のゴム材からこれを構成するか、剥離剤などを塗布しておくもので、台紙なしラベル３を移送ローラー１９側に押し付け可能である。
また、バックアップローラー３６およびバックアップリング３７は、台紙なしラベル３の糊面に線接触するため、糊面との粘着力を極力小さくすることができるとともに、所定のバネ弾性をもった押付けが可能である。
バックアップローラー３６は、移送ローラー１９の移送用爪３３の外周部の外周円周溝３４に接触回転するとともに、バックアップリング３７が、移送ローラー１９の移送用爪３３の内周部の中央円周溝３２に接触回転することにより、移送ローラー１９と押付けエレメント２０との間に台紙なしラベル３を挟持しつつ、また、移送用爪３３が台紙なしラベル３の表面側からその移送用スリット３Ａに係合し移送ローラー１９の回転によって台紙なしラベル３を移送用無端ベルト２４上に送り出す。
【００３５】
図５は、移送ローラー１９が押付けエレメント２０から離間して互いの間に間隙４０が形成されるプラテンユニット６の開放状態の要部側面図である。
上記ねじりコイルバネ３８は、一方の支持フレーム４１の外壁面に設けたバネ取付け軸４４（図２も参照）にこれを取り付けてあり、プラテンフレーム１８の内壁面に設けた第１のバネ受け４５と、上記一方の支持フレーム４１に設けた第２のバネ受け４６との間にこれを配置し、プラテンフレーム１８（プラテンユニット６）全体を押付けエレメント２０に対して常時開放方向（図５）に付勢する。
上記板バネ３９は、移送ローラー１９とは反対側の支持フレーム４１の背面にこれを取り付け、操作レバー５のレバー軸１１部分に当接して、ねじりコイルバネ３８と協動して、プラテンフレーム１８（プラテンユニット６）全体を押付けエレメント２０に対して常時開放方向（図５）に付勢する。
【００３６】
支持フレーム４１は、その外方に位置している拡幅フレーム４２との間に連結アーム２８からの移送回動用爪３０を往復動可能に配置している。
拡幅フレーム４２は、プラテンフレーム１８の外壁面に設けたエレメント軸４７（図２、図４）のまわりに回動可能としてあり、プラテンユニット６において押付けエレメント２０に対してプラテンフレーム１８を相対的に開閉可能としている。
【００３７】
印字器７は、操作レバー５における二股状のヨーク部５Ａの先端部側にこれを取り付け、インキローラー４８により印字器７の活字にインキを塗布し、プラテンユニット６における移送用無端ベルト２４の上面に移送されてきた台紙なしラベル３（ラベル片３Ｂ）に所定の情報を印字する。
【００３８】
貼付けローラー８は、側板２の先端下方部に位置し、プラテンユニット６における移送用無端ベルト２４の先端部分で移送用無端ベルト２４から剥離されたラベル片３Ｂを、携帯式ラベル貼付け機１全体の貼付け操作にともなって、貼付けローラー８によるラベル片３Ｂを被貼付け体に貼り付ける。
すなわち、貼付けローラー８は、側板２の端部（図１中、左端下方端部）に位置するとともに、その円周部の一部が側板２の外部に露出しており、側板２の外部に排出するようにプラテンユニット６およびその移送用無端ベルト２４を通って側板２の外部に移送されてきたラベル片３Ｂを、貼付けローラー８を被貼付け体に打ち付けるようにして回転させることにより、被貼付け体に貼り付け可能とする。
【００３９】
とくに図１に示すように、プラテンユニット開閉装置９は、用紙ホルダー４におけるホルダーカバー１４の初動係脱片１７に係脱する連動アーム４９を設けている。
側板２には、連動アーム軸５０を設けてあり、この連動アーム軸５０のまわりに連動アーム４９を回動可能とする。
さらに、連動アーム４９がプラテンユニット６の前記係脱ローラー２６に係合する方向に連動アーム４９を付勢するコイルスプリング５１（第１の付勢部材）を設けている。
【００４０】
より具体的には、連動アーム４９は、用紙ホルダー４におけるホルダーカバー１４の初動係脱片１７に係脱する上方係脱片４９Ａをその上方端部に形成しているとともに、その下方端部には、プラテンユニット６の係脱ローラー２６に係脱する下方係脱凹部４９Ｂを有する。
すなわち、用紙ホルダー４の初動係脱片１７およびプラテンユニット６の係脱ローラー２６に係脱可能かつ回動可能な連動アーム４９を介して、用紙ホルダー４の開放操作に連動してプラテンユニット６を開放可能としている。
【００４１】
なお、既述したように、プラテンユニット６における前記ねじりコイルバネ３８および板バネ３９は、用紙ホルダー４の開放操作時にプラテンユニット６が連動アーム４９から離脱したときに、プラテンユニット６を側板２に対して開放方向に付勢する第２の付勢部材として機能する。
ただし、コイルスプリング５１の付勢力が、ねじりコイルバネ３８および板バネ３９の合成付勢力より大きくなるように設定してある。
【００４２】
こうした構成の携帯式ラベル貼付け機１およびプラテンユニット開閉装置９において、図１に示す静止状態から用紙ホルダー４を開放するとともに、これに連動してプラテンユニット６を開放する操作および閉鎖する操作について図６ないし図１０にもとづき説明する。
図６は、用紙ホルダー４のホルダーカバー１４を持ってホルダー軸１３のまわりに用紙ホルダー４を上方に引き上げるように開放し始める状態の要部側面図であって、ホルダーカバー１４の初動係脱片１７と連動アーム４９の上方係脱片４９Ａとが係合し始める状態を示している。
ホルダー軸１３のまわりのホルダーカバー１４の開放操作により、初動係脱片１７の内方鈎部１７Ａが上方係脱片４９Ａの内方鈎部４９Ｃに係合することにより生じる力（初動係脱片１７が上方係脱片４９Ａを図中、上方に引っ張りあけるように作用する力）について、連動アーム４９の連動アーム軸５０まわりの回動方向に分解したモーメントにより連動アーム４９とプラテンユニット６との係合を解除する。
すなわち、図７は、連動アーム４９の下方係脱凹部４９Ｂとプラテンユニット６の係脱ローラー２６との係合ないしロックが外れた状態を示す要部側面図であり、用紙ホルダー４の開放操作時に用紙ホルダー４の初動係脱片１７の内方鈎部１７Ａが連動アーム４９の上方係脱片４９Ａの内方鈎部４９Ｃに作用する作用力ないし分力（モーメントＭ１）は、連動アーム４９の下方係脱凹部４９Ｂとプラテンユニット６の係脱ローラー２６との係合力（モーメントＭ２）よりこれを大きく設定してあるので（Ｍ２＜Ｍ１）、連動アーム４９が連動アーム軸５０のまわりに、図６中、時計方向に回動し、連動アーム４９の下方係脱凹部４９Ｂとプラテンユニット６の係脱ローラー２６との係合が外れる（図７）結果、プラテンユニット６は、ねじりコイルバネ３８および板バネ３９の付勢力により、プラテン開閉軸２１のまわりに回動し、移送ローラー１９と押付けエレメント２０との間が最大限に開いて間隙４０が形成され、図８（あるいは図５）に示す状態に開放される。
【００４３】
すなわち、図８は、用紙ホルダー４およびプラテンユニット６の開放状態の要部側面図であって、図示の開放状態で、用紙ホルダー４の台紙なしラベル３を帯状に繰り出して、プラテンユニット６の移送ローラー１９と押付けエレメント２０との間の間隙４０に台紙なしラベル３の先端部を挿入することができる。台紙なしラベル３と係合してこれを移送する移送ローラー１９がプラテンユニット６に組み込まれているので、この状態で台紙なしラベル３のセットを行うことができる。
【００４４】
すなわち、図９は、側板２にプラテンユニット６を閉鎖セットした状態を示す要部側面図であって、この閉鎖セットにより、ねじりコイルバネ３８および板バネ３９の付勢力に抗してプラテンユニット６の係脱ローラー２６が連動アーム４９の下方係脱凹部４９Ｂに再び係合し、プラテンユニット６が元位置に固定される。
【００４５】
ついで、ホルダーカバー１４を閉鎖方向に回動して、その初動係脱片１７が連動アーム４９の上方係脱片４９Ａに係合するように操作する。
図１０は、用紙ホルダー４のホルダーカバー１４を持ってホルダー軸１３のまわりに用紙ホルダー４を側板２側に閉鎖するように回動し、初動係脱片１７が上方係脱片４９Ａに係合し始める状態の要部側面図である。
ホルダー軸１３のまわりのホルダーカバー１４の閉鎖操作により、初動係脱片１７の外方斜面部１７Ｂが上方係脱片４９Ａの外方斜面部４９Ｄを押し付けることにより生じる力（初動係脱片１７が上方係脱片４９Ａを図中、下方に押し下げるように作用する力）について、連動アーム４９の連動アーム軸５０まわりの回動方向に分解したモーメントにより連動アーム４９とプラテンユニット６との係合を許容する。
すなわち、用紙ホルダー４の閉鎖操作時に用紙ホルダー４の初動係脱片１７の外方斜面部１７Ｂが連動アーム４９の上方係脱片４９Ａの外方斜面部４９Ｄに作用する作用力ないし分力（モーメントＭ３）は、連動アーム４９の下方係脱凹部４９Ｂとプラテンユニット６の係脱ローラー２６との上記係合力（モーメントＭ２）よりこれを小さく設定してあるので（Ｍ３＜Ｍ２）、連動アーム４９が連動アーム軸５０のまわりに、図１０中、反時計方向に回動し、連動アーム４９の下方係脱凹部４９Ｂとプラテンユニット６の係脱ローラー２６との係合ないしロックが行われる結果、連動アーム４９およびプラテンユニット６はコイルスプリング５１の付勢力により、図１（あるいは図６）に示す元位置の閉鎖状態に戻される。
【００４６】
用紙ホルダー４およびプラテンユニット６をともに閉鎖した状態の携帯式ラベル貼付け機１において、操作レバー５およびグリップ１０を握持することにより、印字器７が移送用無端ベルト２４上の台紙なしラベル３に印字を行うとともに、移送回動用爪３０が移送ローラー１９におけるローラーギア２５の移送用突起３１から隣りの（図３中、左側の）移送用突起３１側に移行し、ついで操作レバー５の解放によって、移送回動用爪３０がこの移送用突起３１を前方に（図３中、右方向に）回動させて、移送ローラー１９を所定ピッチで回動して台紙なしラベル３を移送する。
さらに移送ローラー１９に係合している駆動ギア２２が回動することにより移送用無端ベルト２４を回動させて、その上面の台紙なしラベル３を側板２の外方に送り出し可能とする。
移送用無端ベルト２４の先頭部（下流側）において側板２の外方に送り出された台紙なしラベル３のラベル片３Ｂを貼付けローラー８により所定の被貼付け体に貼り付けることができる。
【００４７】
かくして、用紙ホルダー４におけるホルダーカバー１４の開放操作に連動して、連動アーム４９を介してプラテンユニット６を開放させることができるので、一操作で側板２の上下部分をともに開放し、側板２内への台紙なしラベル３の挿通、装填を手際よく行うことができる。
【００４８】
なお本発明においては、台紙なしラベル３以外にも、台紙を有する一般的なラベルを装填するような携帯式ラベル貼付け機にも、当該プラテンユニット開閉装置を適用することができる。
【符号の説明】
【００４９】
１  携帯式ラベル貼付け機（図１）
２  左右一対の側板
３  台紙なしラベル
３Ａ  台紙なしラベル３の移送用スリット
３Ｂ  台紙なしラベル３の単葉のラベル片
４  用紙ホルダー
５  操作レバー
５Ａ  操作レバー５のヨーク部
６  プラテンユニット（図２）
７  印字器
８  貼付けローラー
９  携帯式ラベル貼付け機１のプラテンユニット開閉装置（実施例、図１）
１０  グリップ
１１  レバー軸
１２  コイルスプリング
１３  ホルダー軸
１４  ホルダーカバー
１５  ラベル保持軸
１６  固定用フック
１７  ホルダーカバー１４の初動係脱片
１７Ａ  初動係脱片１７の内方鈎部（図６）
１７Ｂ  初動係脱片１７の外方斜面部
１８  プラテンフレーム（図２）
１９  移送ローラー
２０  押付けエレメント（図２）
２１  プラテン開閉軸
２２  駆動ギア
２３  従動ギア
２４  移送用無端ベルト
２５  ローラーギア
２６  係脱ローラー
２７  ローラー軸
２８  連結アーム（図３）
２９  連結軸
３０  移送回動用爪
３１  移送ローラー１９の移送用突起
３２  中央円周溝
３３  左右一対の移送用爪
３４  左右一対の外周円周溝
３５  エレメントフレーム
３６  上下左右一対のバックアップローラー
３７  バックアップリング
３８  ねじりコイルバネ（第２の付勢部材）
３９  左右一対の板バネ（第２の付勢部材）
４０  押付けエレメント２０と移送ローラー１９との間に形成される間隙（図５、図８）
４１  左右一対の支持フレーム
４２  左右一対の拡幅フレーム
４３  上下一対の回転軸
４４  バネ取付け軸
４５  第１のバネ受け
４６  第２のバネ受け
４７  エレメント軸
４８  インキローラー
４９  連動アーム（図１）
４９Ａ  連動アーム４９の上方係脱片（図６）
４９Ｂ  連動アーム４９の下方係脱凹部
４９Ｃ  上方係脱片４９Ａの内方鈎部
４９Ｄ  上方係脱片４９Ａの外方斜面部
５０  連動アーム軸（図１）
５１  コイルスプリング（第１の付勢部材）
Ｍ１  用紙ホルダー４の開放操作時に用紙ホルダー４の初動係脱片１７の内方鈎部１７Ａが連動アーム４９の上方係脱片４９Ａの内方鈎部４９Ｃに作用する作用力ないし分力（モーメント）
Ｍ２  連動アーム４９の下方係脱凹部４９Ｂとプラテンユニット６の係脱ローラー２６との係合力（モーメント）（Ｍ２＜Ｍ１）
Ｍ３  用紙ホルダー４の閉鎖操作時に用紙ホルダー４の初動係脱片１７の外方斜面部１７Ｂが連動アーム４９の上方係脱片４９Ａの外方斜面部４９Ｄに作用する作用力ないし分力（モーメント）（Ｍ３＜Ｍ２）
【図１】
0005457243.tif 000002
【図２】
0005457243.tif 000003
【図３】
0005457243.tif 000004
【図４】
0005457243.tif 000005
【図５】
0005457243.tif 000006
【図６】
0005457243.tif 000007
【図７】
0005457243.tif 000008
【図８】
0005457243.tif 000009
【図９】
0005457243.tif 000010
【図１０】
0005457243.tif 000011